(57)【要約】【課題】積み重ねたボトル同士を分離し易くする。【解決手段】ボトル１０は、口部１１、本体部１２および底壁部１３が、ボトル軸Ｏ方向にこの順に連設されたボトル１０であって、本体部１２には、折曲変形可能に形成された折曲部１６が全周にわたって形成され、本体部１２のうち、折曲部１６に対してボトル軸Ｏ方向の一方側に位置する一方側部分１７は、折曲部１６を中心としてボトル軸Ｏ方向の他方側に向けて反転変形可能であり、一方側部分１７は、反転変形することで、折曲部１６に対してボトル軸Ｏ方向の他方側に位置する他方側部分１８内に進入し、反転変形した一方側部分１７内には、当該ボトル１０とは異なる他のボトル１０の他方側部分１８を、他方側部分１８において折曲部１６に接続される接続部１９を突出させた状態で収容する収容部２７が設けられ、接続部１９には、ボトル径方向の外側に向けて突出する突出部２３が設けられている。【選択図】図３
2017210280.tif 000002
【特許請求の範囲】
【請求項１】
口部、本体部および底壁部が、ボトル軸方向にこの順に連設されたボトルであって、
前記本体部には、折曲変形可能に形成された折曲部が全周にわたって形成され、
前記本体部のうち、前記折曲部に対してボトル軸方向の一方側に位置する一方側部分は、前記折曲部を中心としてボトル軸方向の他方側に向けて反転変形可能であり、
前記一方側部分は、反転変形することで、前記折曲部に対してボトル軸方向の他方側に位置する他方側部分内に進入し、
反転変形した前記一方側部分内には、当該ボトルとは異なる他のボトルの前記他方側部分を、前記他方側部分において前記折曲部に接続される接続部を突出させた状態で収容する収容部が設けられ、
前記接続部には、ボトル径方向の外側に向けて突出する突出部が設けられていることを特徴とするボトル。
【請求項２】
前記突出部は、全周にわたって設けられていることを特徴とする請求項１に記載のボトル。
【請求項３】
前記一方側部分および前記他方側部分には、前記一方側部分が反転変形したときに互いに係止して、前記一方側部分の復元変形を規制する規制部が設けられていることを特徴とする請求項１または２に記載のボトル。
【請求項４】
当該ボトルの前記収容部が前記他のボトルの前記他方側部分を収容したときに、当該ボトルの前記折曲部と前記他のボトルの前記接続部とが係止し、前記他のボトルの前記他方側部分が当該ボトルの前記収容部内に更に進入することを規制することを特徴とする請求項１から３のいずれか１項に記載のボトル。
【請求項５】
前記突出部は、前記接続部における前記一方側の端部に配置されていることを特徴とする請求項１から４のいずれか１項に記載のボトル。
【発明の詳細な説明】
【技術分野】
【０００１】
本発明は、反転変形可能なボトルに関する。
【背景技術】
【０００２】
従来から、例えば下記特許文献１に記載のボトルが知られている。このボトルは、口部、本体部および底壁部が、ボトル軸方向にこの順に連設されてなる。本体部には、折曲変形可能に形成された折曲部が全周にわたって形成されている。本体部のうち、折曲部に対してボトル軸方向の一方側に位置する一方側部分は、折曲部を中心としてボトル軸方向の他方側に向けて反転変形可能である。一方側部分は、反転変形することで、折曲部に対してボトル軸方向の他方側に位置する他方側部分内に進入する。反転変形した一方側部分内には、当該ボトルとは異なる他のボトルの他方側部分を収容する収容部が設けられている。これにより、複数のボトルを互いに積み重ねることができる。
【先行技術文献】
【特許文献】
【０００３】
【特許文献１】特開２００１−１９９４２７号公報
【発明の概要】
【発明が解決しようとする課題】
【０００４】
しかしながら、前記従来のボトルでは、積み重ねたボトル同士が互いに密着すると分離し難い。
【０００５】
本発明は、前述した事情に鑑みてなされたものであって、積み重ねたボトル同士を分離し易くすることを目的とする。
【課題を解決するための手段】
【０００６】
前記課題を解決するために、本発明は以下の手段を提案している。
本発明に係るボトルは、口部、本体部および底壁部が、ボトル軸方向にこの順に連設されたボトルであって、前記本体部には、折曲変形可能に形成された折曲部が全周にわたって形成され、前記本体部のうち、前記折曲部に対してボトル軸方向の一方側に位置する一方側部分は、前記折曲部を中心としてボトル軸方向の他方側に向けて反転変形可能であり、前記一方側部分は、反転変形することで、前記折曲部に対してボトル軸方向の他方側に位置する他方側部分内に進入し、反転変形した前記一方側部分内には、当該ボトルとは異なる他のボトルの前記他方側部分を、前記他方側部分において前記折曲部に接続される接続部を突出させた状態で収容する収容部が設けられ、前記接続部には、ボトル径方向の外側に向けて突出する突出部が設けられていることを特徴とする。
【０００７】
この発明によれば、複数のボトルを積み重ねるため、一のボトルの収容部内に、他のボトルの他方側部分を収容すると、他のボトルの接続部が収容部から突出する。ここで接続部には、突出部が設けられている。したがって、仮に積み重ねたボトル同士が互いに密着しても、両ボトルにそれぞれの突出部から外力を容易に付与して両ボトルをボトル軸方向に離反させることが可能になり、積み重ねたボトル同士を分離し易くすることができる。
【０００８】
前記突出部は、全周にわたって設けられていてもよい。
【０００９】
この場合、突出部が、全周にわたって設けられている。したがって、例えば、積み重ねられたボトルの使用者に対する向きによらず、使用者から突出部に容易に外力を付与すること等ができる。これにより、積み重ねたボトル同士をより分離し易くすることができる。
【００１０】
前記一方側部分および前記他方側部分には、前記一方側部分が反転変形したときに互いに係止して、前記一方側部分の復元変形を規制する規制部が設けられていてもよい。
【００１１】
この場合、一方側部分および他方側部分に規制部が設けられているので、一方側部分が反転変形して他方側部分内に進入した状態を保持し易くすることができる。
【００１２】
当該ボトルの前記収容部が前記他のボトルの前記他方側部分を収容したときに、当該ボトルの前記折曲部と前記他のボトルの前記接続部とが係止し、前記他のボトルの前記他方側部分が当該ボトルの前記収容部内に更に進入することを規制してもよい。
【００１３】
この場合、一のボトルの収容部が他のボトルの他方側部分を収容したときに、一のボトルの折曲部と他のボトルの接続部とが係止し、他のボトルの他方側部分が一のボトルの収容部内に更に進入することを規制する。したがって、ボトルの構造の複雑化を抑えつつ、他のボトルの接続部を一のボトルの収容部から外部に確実に突出させることができる。
【００１４】
前記突出部は、前記接続部における前記一方側の端部に配置されていてもよい。
【００１５】
この場合、突出部が、接続部における一方側の端部に配置されている。したがって、突出部によって、接続部の前記端部を補強することができる。これにより、一方側部分を反転変形させるため、ボトルにボトル軸方向の力を加えるときに、接続部の前記端部によってボトルに加えられた力を効果的に受けとめることができる。その結果、折曲部を円滑に折曲変形させることが可能になり、一方側部分を反転変形させ易くすることができる。
なお突出部が、全周にわたって設けられている場合、突出部による補強効果を高めることが可能になり、一方側部分をより反転変形させ易くすることができる。
【発明の効果】
【００１６】
本発明によれば、積み重ねたボトル同士を分離し易くすることができる。
【図面の簡単な説明】
【００１７】
【図１】本発明の一実施形態に係るボトルの半断面図である。
【図２】図１に示すボトルの本体部を反転変形させた状態を示す半断面図である。
【図３】図２に示すボトルを複数、積み重ねた状態を示す半断面図である。
【発明を実施するための形態】
【００１８】
以下、図１から図３を参照し、本発明の一実施形態に係るボトル１０を説明する。
ボトル１０は、例えば射出成形によって製造したプリフォームに２軸延伸ブロー成形法を適用して製造することができる。ボトル１０の素材としては、高密度ポリエチレン、ポリエチレンテレフタレート、ポリエチレンナフタレート、ポリプロピレン等の熱可塑性樹脂を使用することができる。
【００１９】
図１から図３に示すように、ボトル１０は、口部１１、本体部１２および底壁部１３が、ボトル軸Ｏ方向にこの順に連設されている。口部１１、本体部１２および底壁部１３の各中心軸線は、共通軸上に位置している。以下では、前記共通軸をボトル軸Ｏといい、ボトル軸Ｏ方向に沿って口部１１側を上方、その反対側を下方という。ボトル軸Ｏ方向から見た平面視で、ボトル軸Ｏに直交する方向をボトル径方向といい、ボトル軸Ｏ回りに周回する方向をボトル周方向という。
なお本実施形態では、ボトル１０は丸型ボトルであり、本体部１２が、ボトル軸Ｏに直交する横断面視において円形状に形成されている。
【００２０】
本体部１２は、筒状に形成されている。本体部１２の上端部には、口部１１が立設されている。本体部１２の下端部は、底壁部１３により閉塞されている。
口部１１には、図示しないキャップが着脱自在に装着される。口部１１の外周面には、雄ねじが形成されている。
【００２１】
底壁部１３は、接地部１４と、陥没部１５と、を備えている。接地部１４は、底壁部１３の外周縁部に位置している。接地部１４は、本体部１２の下端部に接続されている。接地部１４は、ボトル周方向の全周にわたって延びる環状に形成されている。陥没部１５は、接地部１４に対して上方に向けて窪んでいる。陥没部１５は、上方に向けて突となる球面状に形成されている。
【００２２】
本体部１２には、折曲変形可能に形成された折曲部１６が全周にわたって形成されている。折曲部１６は、本体部１２において最も薄肉に形成されている。本体部１２は、折曲部１６に対して上側（ボトル軸Ｏ方向の一方側）に位置する上側部分１７（一方側部分）と、折曲部１６に対して下側（ボトル軸Ｏ方向の他方側）に位置する下側部分１８（他方側部分）と、を備えている。
【００２３】
上側部分１７は、上側に向かうに従い漸次、縮径している。上側部分１７は、ボトル軸Ｏ方向に沿う縦断面視において、ボトル径方向の外側に向けて突となる曲線状に形成されている。上側部分１７は、下側部分１８や口部１１、底壁部１３よりも薄肉である。
【００２４】
下側部分１８は、接続部１９と、被収容部２０と、を備えている。接続部１９は、下側部分１８において折曲部１６に接続されている。接続部１９の上端部は、折曲部１６に直結されている。接続部１９は、筒部２１と、段部２２と、を備えている。筒部２１は、ボトル軸Ｏと同軸に形成されている。段部２２は、筒部２１の下端部からボトル径方向の内側に向けて突出している。段部２２は、ボトル軸Ｏと同軸の環状に形成されている。
【００２５】
接続部１９には、ボトル径方向の外側に向けて突出する突出部２３が設けられている。突出部２３は、接続部１９における上端部（ボトル軸Ｏ方向の一方側の端部）に配置されている。突出部２３は、全周にわたって設けられている。突出部２３は、ボトル周方向の全周にわたって連続して設けられている。なお突出部２３は、ボトル周方向の全周にわたって間欠的に設けられていてもよい。
【００２６】
突出部２３は、ボトル軸Ｏ方向に沿う縦断面視において、ボトル軸Ｏ方向よりもボトル径方向に大きい。突出部２３は、前記縦断面視においてボトル径方向に長い矩形状に形成されている。突出部２３においてボトル径方向の外側を向く端面は、前記縦断面視においてボトル径方向の外側に向けて突となる曲線状に形成されている。
【００２７】
被収容部２０は、接続部１９の下端部と底壁部１３の外周縁部とを接続している。被収容部２０は、下側に向かうに従い漸次、縮径している。被収容部２０は、ボトル軸Ｏ方向に沿う縦断面視において、ボトル径方向の外側に向けて突となる曲線状に形成されている。被収容部２０は、接続部１９よりもボトル軸Ｏ方向に大きい。
【００２８】
図２に示すように、上側部分１７は、折曲部１６を中心として下方（ボトル軸Ｏ方向の他方側）に向けて反転変形可能である。上側部分１７は、反転変形することで下側部分１８内に進入する。上側部分１７が反転変形した状態で、口部１１は反転変形していない。このときの口部１１は、上側部分１７の反転変形前の状態における口部１１に対して、下方に平行に移動している。
【００２９】
図１および図２に示すように、上側部分１７および下側部分１８には、規制部２４が設けられている。規制部２４は、上側部分１７が反転変形したときに互いに係止して、上側部分１７の復元変形を規制する。規制部２４は、上側部分１７に設けられた第１規制部２５と、下側部分１８に設けられた第２規制部２６と、を備えている。
【００３０】
図１に示すように、第１規制部２５および第２規制部２６は、折曲部１６からボトル軸Ｏ方向に同等の距離、離間している。第２規制部２６は、接続部１９（図示の例では、接続部１９におけるボトル軸Ｏ方向の中央部）に設けられている。第１規制部２５および第２規制部２６はいずれも、ボトル周方向の全周にわたって設けられている。
【００３１】
上側部分１７が反転変形する前の状態において、第１規制部２５は、ボトル径方向の内側に向けて突出し、第２規制部２６は、ボトル径方向の外側に向けて窪んでいる。図２に示すように、上側部分１７が反転変形すると、第１規制部２５がボトル径方向の外側に向けて突出し、第２規制部２６内に嵌合する。
【００３２】
反転変形した上側部分１７内には、収容部２７が設けられる。収容部２７は、下方に窪み、上方に向けて開口している。収容部２７は、反転変形した上側部分１７を内面として形成される。図３に示すように、収容部２７は、当該ボトル１０（以下、「下側のボトル１０Ａ」という。）とは異なる他のボトル１０（以下、「上側のボトル１０Ｂ」という。）の下側部分１８を、接続部１９を突出させた状態で収容する。
【００３３】
下側のボトル１０Ａの収容部２７は、上側のボトル１０Ｂの被収容部２０を収容する。下側のボトル１０Ａの収容部２７は、上側のボトル１０Ｂの接続部１９を上方に突出させた状態で、上側のボトル１０Ｂの被収容部２０を収容する。
このとき、下側のボトル１０Ａの折曲部１６と上側のボトル１０Ｂの接続部１９とが係止し、上側のボトル１０Ｂの下側部分１８が下側のボトル１０Ａの収容部２７内に更に進入することを規制する。本実施形態では、下側のボトル１０Ａの折曲部１６が、上側のボトル１０Ｂの接続部１９の下端部（段部２２）を下方から支持している。
【００３４】
以上説明したように、本実施形態に係るボトル１０によれば、複数のボトル１０を積み重ねるため、下側のボトル１０Ａの収容部２７内に、上側のボトル１０Ｂの下側部分１８を収容すると、上側のボトル１０Ｂの接続部１９が収容部２７から突出する。ここで接続部１９には、突出部２３が設けられている。したがって、仮に積み重ねたボトル１０同士が互いに密着しても、両ボトル１０にそれぞれの突出部２３から外力を容易に付与して両ボトル１０をボトル軸Ｏ方向に離反させることが可能になり、積み重ねたボトル１０同士を分離し易くすることができる。
【００３５】
また突出部２３が、全周にわたって設けられている。したがって、例えば、積み重ねられたボトル１０の使用者に対する向きによらず、使用者から突出部２３に容易に外力を付与すること等ができる。これにより、積み重ねたボトル１０同士をより分離し易くすることができる。
また、上側部分１７および下側部分１８に規制部２４が設けられているので、上側部分１７が反転変形して下側部分１８内に進入した状態を保持し易くすることができる。
【００３６】
また、下側のボトル１０Ａの収容部２７が上側のボトル１０Ｂの下側部分１８を収容したときに、下側のボトル１０Ａの折曲部１６と上側のボトル１０Ｂの接続部１９とが係止し、上側のボトル１０Ｂの下側部分１８が下側のボトル１０Ａの収容部２７内に更に進入することを規制する。したがって、ボトル１０の構造の複雑化を抑えつつ、上側のボトル１０Ｂの接続部１９を下側のボトル１０Ａの収容部２７から外部に確実に突出させることができる。
【００３７】
また突出部２３が、接続部１９の上端部に配置されている。したがって、突出部２３によって、接続部１９の上端部を補強することができる。これにより、上側部分１７を反転変形させるため、ボトル１０にボトル軸Ｏ方向の力を加えるときに、接続部１９の上端部によってボトル１０に加えられた力を効果的に受けとめることができる。その結果、折曲部１６を円滑に折曲変形させることが可能になり、上側部分１７を反転変形させ易くすることができる。
なお本実施形態のように、突出部２３が全周にわたって設けられている場合、突出部２３による補強効果を高めることが可能になり、上側部分１７をより反転変形させ易くすることができる。
【００３８】
なお、本発明の技術的範囲は前記実施形態に限定されるものではなく、本発明の趣旨を逸脱しない範囲において種々の変更を加えることが可能である。
【００３９】
規制部２４は前記実施形態に示した形態に限られない。例えば、上側部分１７が反転変形する前の状態において、第１規制部２５が、ボトル径方向の外側に向けて窪み、第２規制部２６が、ボトル径方向の内側に向けて突出していてもよい。この場合、上側部分１７が反転変形すると、第１規制部２５がボトル径方向の内側に向けて窪み、第１規制部２５内に第２規制部２６が嵌合する。
規制部２４がなくてもよい。
【００４０】
突出部２３が、接続部１９の上端部に配置されていなくてもよい。例えば、突出部２３が、接続部１９の下端部や、接続部１９におけるボトル軸Ｏ方向の中央部に配置されていてもよい。
突出部２３が、全周にわたって設けられていなくてもよい。例えば、突出部２３がボトル周方向の一部に限定して設けられていてもよい。
【００４１】
前記実施形態では、上側部分１７が反転変形することで下側部分１８内に進入するが、本発明はこれに限られない。例えば、下側部分１８が反転変形することで、上側部分１７内に進入してもよい。この場合、反転変形した下側部分１８内に、他のボトル１０の上側部分１７を収容する収容部２７が設けられる。そして収容部２７が、他のボトル１０の上側部分１７において折曲部１６に接続される接続部１９を突出させた状態で、他のボトル１０の上側部分１７を収容する。
【００４２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４３】
１０   ボトル
１１   口部
１２   本体部
１３   底壁部
１６   折曲部
１７   上側部分（一方側部分）
１８   下側部分（他方側部分）
１９   接続部
２３   突出部
２４   規制部
２７   収容部
Ｏ     ボトル軸
【図１】
2017210280.tif 000003
【図２】
2017210280.tif 000004
【図３】
2017210280.tif 000005